(57)【要約】その外周に多数の鋸の目（１６）が形成されている第一の素材から構成される環状本体（１２）を有する鋸刃。多数のカーバイド製挿入物（２２）がそれぞれの目に貼り付けられている。カーバイド製挿入物（２２）は、一般に刃の回転軸に対して平行である第一のエッジ表面（４０）及び刃の回転軸に関して角度をつけられており且つ第一のエッジ表面よりも短い第二の角度を付けられたエッジ表面（４２）を含んでいるカッテイングエッジ（３２）を含む。
2005529762.tif 000002
【特許請求の範囲】
【請求項１】
多数の肩部を形成されている外周を有している第一の素材から構成される環状本体と；上記肩部のそれぞれ一つに各々貼り付けられる多数の挿入物とを備えている円形鋸刃において、上記挿入物は、第二の素材から形成され且つ先導表面に沿って範囲を明確にされているカッテイングエッジを含んでおり、各々の上記カッテイングエッジは、環状本体の回転軸に対し一般に平行である第一のエッジ表面を含んでおり且つ環状本体の回転軸に対する平行線から１０°と３０°のオフセットの間における第二の角度をつけられているエッジ表面を含んでいることを特徴とする円形鋸刃。
【請求項２】
上記挿入物の上記カッテイングエッジは、上記第一のエッジ表面と上記環状本体の一つのサイドに対してより接近している上記第二の角度を付けられたエッジ表面との間の接触部を含んでおり、隣接する挿入物のその接触部が環状本体の交互のサイドに対してより接近していることを特徴とする請求項1に記載の鋸刃。
【請求項３】
上記挿入物はカーバイドから構成されていることを特徴とする請求項1に記載の鋸刃。
【請求項４】
上記カーバイドの挿入物は、おおよそ、炭化チタン（ＴiＣ）8.6％、タンタル-ニオブ-カーバイド（ＴaＮｂＣ）12％、及びコバルト（Ｃo）9.5％を含むことを特徴とする請求項３に記載の鋸刃。
【請求項５】
上記挿入物の上記カッテイングエッジは、５°と１５°の間の背後角度を含むことを特徴とする請求項1に記載の鋸刃。
【請求項６】
上記背後角度はおおよそ１０°であることを特徴とする請求項５に記載の鋸刃。
【請求項７】
カッテイングエッジを有する先導表面を明確にしている本体部分と、第一及び第二のサイドと、基底部エッジとを備えている鋸刃用挿入物において、上記カッテイングエッジは、一般に上記第一のサイドから直角に伸びている第一のエッジ表面及び上記第一の角度を付けられた表面と交差し且つ上記第二のサイドから１００°と１２０°の間に拡がっている第二の角度を付けられたエッジ表面とによって範囲を明確にされることを特徴とする鋸刃用挿入物。
【請求項８】
上記本体部分はカーバイドから作成されていることを特徴とする請求項７に記載の挿入物。
【請求項９】
上記本体部分は、おおよそ、炭化チタン（ＴiＣ）8.6％、タンタル-ニオブ-カーバイド（ＴaＮｂＣ）12％、及びコバルト（Ｃo）9.5％を含むことを特徴とする請求項８に記載の挿入物。
【請求項１０】
上記カッテイングエッジは、５°と１５°の間の背後角度を含むことを特徴とする請求項７に記載の挿入物。
【請求項１１】
上記背後角度はおおよそ１０°であることを特徴とする請求項１０に記載の挿入物。
【請求項１２】
上記第二の角度を付けられたエッジ表面は、上記第二のサイドからおおよそ１１０°拡がっていることを特徴とする請求項７に記載の挿入物。
【発明の詳細な説明】
【技術分野】
【０００１】
本発明は、一般的に円形鋸刃に関し、特には、鉄素材を切断するために適合される挿入物を含む円形鋸刃に関する。
【背景技術】
【０００２】
鋼鉄製植え込みボルトのような鉄素材を切断するために適合される鋸刃を備える技術分野が知られている。これらの鋸刃は、切断能力を増大するために強固にされた素材の挿入物を含むかも知れず、また含まないかもしれない。一般的に、挿入物を含む鋸刃は、ときどき、金属の小さい部分を取り去り或いはたたき切るために適合されるカーバイドチップを有する。
【０００３】
一般的に、挿入物は、鋸刃に取付ける前に分離して作られ且つ機械で作られ或いは切断される。挿入物を機械で作成する或いは作り出すことは、一般的に、挿入物それ自身に作られる広範囲な角度或いはその他の形状を含んでいる。角度及び形状の様々な構成は、素材の切断においてより大きな効率を創造することが信じられている。しかしながら、挿入物のフェース或いはエッジにそのような非常にたくさんの切れ込みと角度を作り出すには、挿入物の製造において追加的なステップと増大する苦労を作り出す。さらにまた、各々個々の挿入物のインベントリーが鋸刃製造のために手元に保存されなければならない。
【発明の開示】
【０００４】
本発明は、それの周囲に配置されている多数の鋸の目を含む円形鋸刃を含んでいる。多数の目の各々は硬くされた素材、望ましくはカーバイドで形成される挿入物を含んでいる。挿入物の各々は、挿入物の上部半径方向エッジにおけるカッテイングエッジで終わるところの先導表面を含んでいる。カッテイングエッジは、比較的短い側と比較的長い側を含んでいる角度を付けられた表面によって明確にされる。挿入物は、角度を付けられた表面の比較的短い側が刃の異なるサイドに交互になるように、近接する挿入物が交互のパターンを持つように配列される。
【０００５】
さらに、本発明の適用の範囲は、以下に提供される詳細な説明から明らかとなるであろう。しかしながら、詳細な説明及び特別な例は、本発明の望ましい実施形態を指し示しているけれども、本発明の精神及び範囲内における種々の変更及び修正がこの詳細な説明からこの分野の当業者にとって明らかとなるので、イラストの目的のみのつもりである。
【発明を実施するための最良の形態】
【０００６】
本発明は、詳細な説明及び付随する図面からより完全に理解されることでしょう。
図１〜３Ｂを参照して、円形の鋸刃１０が開示されている。円形の鋸刃１０は、２つのサイド１３A及び１３Ｂを有する本体１２を含んでいる（図1においては片側のみが示される）。鋸刃１０は、回転軸14に関して矢印Aの方向に回転するように設計されている。鋸の目１６は本体１２の周囲の周りに形成されている。図2において最もよく示されるように、目１６は溝２０によって各々分けられている肩部１８を各々含んでいる。挿入物２２，２２‘は、それぞれの肩部１８に貼られている。溝２０は、先行する目１６の腰部２６が溝２０の円弧２４を越えて伸びているところの円弧２４によって形成されている開放空間である。円弧２４は挿入物２２の先導表面２８で終了する。挿入物２２，２２’の先導表面２８は一般的に円形鋸刃１０の半径に平行である。半径３０は円形鋸刃１０の中心で回転軸１４から伸びている。挿入物２２，２２‘の末端部の半径方向エッジは図３Aでよく示されているように、カッテイングエッジ３２，３２’を含んでおり、それは挿入物２２のカッテイングエッジの上限端部を明確にしている。
【０００７】
挿入物２２，２２‘は、溶接、はんだ付け或いはその他の適切な方法で目１６に貼り付けられる。このようにして、鋸刃は、挿入物２２，２２’の先導表面２８が切断されるべき素材と噛み合うように、矢印Aの方向に回転軸１４に関して回転する。
【０００８】
図３A及び３Ｂを参照すると、ただ一つの挿入物２２の詳細が示されている。挿入物２０の先導表面２８の上限カッテイングエッジがカッテイングエッジ３２を含んでいる。挿入物２０はさらに２つのサイド３４，３６と２つのサイド３４,３６の間に拡がっているベース３８を含んでいる。先導表面２８のカッテイングエッジは、ベース端部３８でおおよそ0.09mm内側にテーパーになっていて、サイド３４，３６の各々に関して1.75mmの幅を有している。カッテイングエッジ３２は、挿入物２２のそれぞれのサイド３４，３６で終わりとなる２つのエッジ表面４０，４２によって創出されている。一番目のエッジ表面４０は一般的に刃１０の回転軸１４に対して直角である。二番目の角度を付けられたエッジ表面４２は、角度を付けられた表面４２を形成している目の幅のおおよそ三分の一を横切っておおよそ１０〜３０°の角度“Ｘ”、好ましくはおおよそ２０°で接している。一番目及び二番目のエッジ表面４０,４２は、図３Aで最もよくに示されているように、ライン４３に沿って接触している。挿入物２２’は、挿入物２２の先導表面２８と左右対称のイメージである先導表面２８を有しており、且つ、鋸刃１０の外周を囲んでいる一つ置きの目に配置されている。他の言い方をすると、挿入物２２，２２’のカッテイングエッジ３２、３２’の角度を付けられた二番目のエッジ表面４２は、それぞれ、円形鋸刃１０の外周に沿う刃の交互のサイド１３a、１３ｂに配置されている。
【０００９】
円形鋸刃１０が回転軸に関して回転するので、各々の交互のカッテイングエッジ３２、３２’は、切断される経路の異なるサイドから素材を受け取る。
【００１０】
できれば、挿入物２２は、望ましくは、炭化チタン：ＴiＣを8.6％、タンタル-ニオブ-カーバイド：Ｔa（Ｎｂ）Ｃを12％、及びコバルト：Ｃoを9.5％含むカーバイド素材から構成される。さらにまた、カーバイド素材の平均標準粒子寸法は、直径において1〜1.5μｍの範囲となるであろう。
【００１１】
挿入物２２，２２’のカッテイングエッジ３２、３２’は、望ましくは、図２に描かれているように、５°〜１５°の、望ましくは１０°の背後角度“ｙ”を有している。挿入物２２，２２’の背後角度は、目16のカーブした上部の（または、外周の）表面４４を導いている。カーブした上方の表面４４は、溝の円弧２４に移行する丸くなった表面を提供している腰部２６で終わりとなる。望ましい実施形態によれば、腰部２６は、近接するカッテイングエッジ先端３２、３２’の接線からおおよそ0.5mmの距離ｄを空けられている。
【００１２】
本発明はこのように説明されるが、同様なことが多くの方法で変更されるということが明白である。このような種々の変化は、本発明の精神及び範囲からの隔たりとして認識されるべきではない、そして、この分野の当業者にとって明らかである全てのこのような修正は、以下の請求項の範囲内に含まれているつもりである。
【図面の簡単な説明】
【００１３】
【図１】本発明の原理に従う鋸の目のカーバイド挿入物を含む円形鋸刃の平面図。
【図２】鋸刃の目の詳細側面図。
【図３Ａ】本発明の原理に従う一つだけの挿入物の前側詳細。
【図３Ｂ】本発明の原理に従う一つだけの挿入物の頂部平面図。
【図１】
2005529762.tif 000003
【図２】
2005529762.tif 000004
2005529762.tif 000005
【国際調査報告】
2005529762.tif 000006